(57)【特許請求の範囲】
【請求項１】
番組情報を取得する取得手段と、
前記取得手段で取得した番組情報に基づいてチャンネル軸と時間軸とで構成される電子番組表を作成する作成手段と、
前記作成手段で作成された電子番組表を表示する表示手段と、
前記表示手段に表示された電子番組表の文字サイズを変更可能とする設定手段と、
前記設定手段で設定された文字サイズに対応した形態で前記電子番組表を表示するように前記表示手段を制御するもので、設定された文字サイズにかかわらず、前記表示手段に表示される電子番組表の時間軸が等間隔な整数個の単位時間に分割して表示されるように制御するとともに、前記単位時間内で時間軸方向に残されたスペースが、設定された文字サイズの文字が表示不可能になった場合、当該スペースを用いて番組が存在することを示す表示を行なうように制御する制御手段とを具備する番組表表示装置。
【請求項２】
番組情報を取得する取得手段と、
前記取得手段で取得した番組情報に基づいてチャンネル軸と時間軸とで構成される電子番組表を作成する作成手段と、
前記作成手段で作成された電子番組表を表示する表示手段と、
前記表示手段に表示された電子番組表の文字サイズを変更可能とする設定手段と、
前記設定手段で設定された文字サイズに対応した形態で前記電子番組表を表示するように前記表示手段を制御するもので、設定された文字サイズにかかわらず、前記表示手段に表示される電子番組表の時間軸が等間隔な整数個の単位時間に分割して表示されるように制御するとともに、番組を文字で表示可能とする前記単位時間内の時間軸方向の最小スペースが、設定された文字サイズに応じて変更されるように制御する制御手段とを具備する番組表表示装置。
【請求項３】
番組情報を取得する第１の工程と、
前記第１の工程で取得した番組情報に基づいてチャンネル軸と時間軸とで構成される電子番組表を作成する第２の工程と、
前記第２の工程で作成された電子番組表を表示する第３の工程と、
前記第３の工程で表示された電子番組表の文字サイズを変更可能とする第４の工程と、
前記第４の工程で設定された文字サイズに対応した形態で前記電子番組表が表示されるように、前記第３の工程での表示処理を制御するもので、設定された文字サイズにかかわらず、前記第３の工程で表示される電子番組表の時間軸が等間隔な整数個の単位時間に分割して表示されるように制御するとともに、前記単位時間内で時間軸方向に残されたスペースが、設定された文字サイズの文字が表示不可能になった場合、当該スペースを用いて番組が存在することを示す表示を行なうように制御する第５の工程とを有する番組表表示方法。
【請求項４】
番組情報を取得する第１の工程と、
前記第１の工程で取得した番組情報に基づいてチャンネル軸と時間軸とで構成される電子番組表を作成する第２の工程と、
前記第２の工程で作成された電子番組表を表示する第３の工程と、
前記第３の工程で表示された電子番組表の文字サイズを変更可能とする第４の工程と、
前記第４の工程で設定された文字サイズに対応した形態で前記電子番組表が表示されるように、前記第３の工程での表示処理を制御するもので、設定された文字サイズにかかわらず、前記第３の工程で表示される電子番組表の時間軸が等間隔な整数個の単位時間に分割して表示されるように制御するとともに、番組を文字で表示可能とする前記単位時間内の時間軸方向の最小スペースが、設定された文字サイズに応じて変更されるように制御する第５の工程とを有する番組表表示方法。
【発明の詳細な説明】
【技術分野】
【０００１】
この発明の実施の形態は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところで、電子番組表では、一般的に一覧性が重視されることから、一画面に多くの番組を表示する傾向にあり、これに伴って、表示される文字サイズも小さくなっている。このため、デジタル放送受信装置においては、電子番組表を不特定多数のユーザにとってそれぞれ見易い形態で効率良く表示可能となるように工夫を施すことが重要となる。
【０００５】
特許文献１には、画面に表示する番組ウィンドウの大きさと、番組情報のデータ量とを計測し、計測された番組情報のデータ量に基づいて、番組ウィンドウ内に表示する番組情報のフォントの大きさを決定する技術が開示されている。
【０００６】
また、特許文献２には、電子番組表をモニタに表示させる際、モニタが表示可能な解像度を検知し、モニタの解像度に応じて、表次項目の数及びフォントの大きさを変更する技術が開示されている。
【０００７】
さらに、特許文献３には、ユーザが選んだ番組表の所定部分を拡大表示させることにより、モニタが小型サイズの場合や、視力の弱いユーザにとって効果的であるようにする技術が開示されている。
【先行技術文献】
【特許文献】
【０００８】
【特許文献１】特開２００３−２８３９４７号公報
【特許文献２】特開２００２−２４７４７４号公報
【特許文献３】特開２００１−２４９６１号公報
【発明の概要】
【発明が解決しようとする課題】
【０００９】
電子番組表を不特定多数のユーザにとってそれぞれ見易い形態で効率的に表示することができるようにした番組表表示装置及び番組表表示方法を提供することを目的とする。
【課題を解決するための手段】
【００１０】
実施の形態によれば、番組表表示装置は、取得手段と作成手段と表示手段と設定手段と制御手段とを備える。取得手段は、番組情報を取得する。作成手段は、取得手段で取得した番組情報に基づいてチャンネル軸と時間軸とで構成される電子番組表を作成する。表示手段は、作成手段で作成された電子番組表を表示する。設定手段は、表示手段に表示された電子番組表の文字サイズを変更可能とする。制御手段は、設定手段で設定された文字サイズに対応した形態で電子番組表を表示するように表示手段を制御するもので、設定された文字サイズにかかわらず、表示手段に表示される電子番組表の時間軸が等間隔な整数個の単位時間に分割して表示されるように制御するとともに、単位時間内で時間軸方向に残されたスペースが、設定された文字サイズの文字が表示不可能になった場合、当該スペースを用いて番組が存在することを示す表示を行なうように制御する。
【図面の簡単な説明】
【００１１】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置の電子番組表の表示動作を説明するために示すフローチャート。
【図５】同実施の形態におけるデジタルテレビジョン放送受信装置で表示される電子番組表の一例を説明するために示す図。
【図６】同実施の形態におけるデジタルテレビジョン放送受信装置で表示されるクイックメニューの一例を説明するために示す図。
【図７】同実施の形態におけるデジタルテレビジョン放送受信装置で表示される文字サイズ設定画面の一例を説明するために示す図。
【図８】同実施の形態におけるデジタルテレビジョン放送受信装置の文字サイズ変更に伴なう電子番組表の表示形態の一例を説明するために示す図。
【図９】同実施の形態におけるデジタルテレビジョン放送受信装置の文字サイズ変更に伴なう電子番組表の表示形態の他の例を説明するために示す図。
【図１０】同実施の形態におけるデジタルテレビジョン放送受信装置の文字サイズ変更に伴なう電子番組表の表示形態のさらに他の例を説明するために示す図。
【図１１】同実施の形態におけるデジタルテレビジョン放送受信装置の文字サイズ切換動作の他の例を説明するために示すフローチャート。
【発明を実施するための形態】
【００１２】
以下、実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
図４は、このデジタルテレビジョン放送受信装置１１が電子番組表を表示する動作を説明するためのフローチャートを示している。この動作は、ユーザがリモートコントローラ１７の番組表キー１７ｈを操作することによって、開始（ステップＳ４ａ）される。
【００４５】
すると、制御部６１は、ステップＳ４ｂで、予め放送信号やネットワーク等を介して取得した番組情報であるＥＰＧ情報に基づいて電子番組表を作成し、その一部を映像表示器１４に表示させる。この映像表示器１４に表示される電子番組表の部分は、前回に表示されたチャンネルや日時等のラスト条件に基づいて決定される。
【００４６】
図５は、映像表示器１４に表示された電子番組表の一例を示している。この電子番組表は、水平方向に６つの放送局（チャンネル）を配列し、垂直方向に５時間分の時間枠を配列して、番組を表示している。
【００４７】
すなわち、この電子番組表は、６つの放送局（チャンネル）に対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００４８】
この場合、例えば、表示欄Ｄ〜Ｆに示すように、同じ放送局が複数（図示の場合は３つ）のチャンネル番号を有する場合には、３つの放送局名表示領域Ｄ２〜Ｆ２が１つの共通の放送局名表示領域として使用される。
【００４９】
また、同じ放送局が複数（図示の場合は３つ）のチャンネル番号でそれぞれ同じ番組を放送する、いわゆるイベント共有が行なわれている時間帯では、３つの番組表示領域Ｄ３〜Ｆ３が１つの共通の番組表示領域として使用される。
【００５０】
さらに、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。この場合、選択されている番組は、表示欄Ａ〜Ｆ内において、その番組の表示領域が他の番組の表示領域と色を変えて表示されるが、図５では、ハッチングで囲むことにより表現している。
【００５１】
また、この電子番組表では、その左右に、上から下に向けて１時間毎の時間枠を示す５つの時間領域Ｈ１〜H５が設けられている。図５では、現在時刻が午前９時１３分であるため、各時間領域H１〜H５がそれぞれ午前９時〜午後１時に対応している状態を示している。そして、現在時刻が午前１０時になると、各時間領域H１〜H５が、それぞれ午前１０時〜午後２時に対応するように切り換えられる。
【００５２】
上記のように、ステップＳ４ｂで電子番組表の一部分が画面表示された状態において、制御部６１は、リモートコントローラ１７のクイックキー１７ｅが操作されたことを検知すると、ステップＳ４ｃで、図６に示すようなクイックメニューを電子番組表に重ねて表示する。
【００５３】
このクイックメニューでは、「番組表記号一覧」、「文字サイズ変更」、「ジャンル色分け設定」、「番組情報の更新」の４種類の項目が表示される。これらの項目は、ユーザがリモートコントローラ１７のカーソルキー１６ｆを操作することにより選択され、決定キー１７ｇの操作で設定される。
【００５４】
そして、制御部６１は、クイックメニューから「文字サイズ変更」の項目が選択設定されたことを検知すると、ステップＳ４ｄで、図７に示すような文字サイズ設定画面を表示する。この文字サイズ設定画面では、電子番組表に表示する文字のフォントサイズとして予め用意された「大」、「中」、「小」の３種類の項目が表示される。
【００５５】
その後、制御部６１は、ステップＳ４ｅで、ユーザがリモートコントローラ１７のカーソルキー１６ｆを操作していずれかの項目を選択し、決定キー１７ｇの操作で設定されたことを検知すると、ステップＳ４ｆで、設定された文字サイズに適した形態で電子番組表を表示するように表示処理を施して、処理を終了（ステップＳ４ｇ）する。
【００５６】
ここで、上記ステップＳ４ｆにおける表示処理の例について説明する。図８は、上記した各表示欄Ａ〜Ｆの番組表示領域Ａ３〜Ｆ３に形成された、所定のチャンネルと所定の時間とで区切られる番組枠の中に、設定された文字サイズに応じた大きさの文字を表示する際に、文字間隔や行間隔を文字サイズに適した距離に自動的に設定する例を示している。
【００５７】
すなわち、図８（ａ）は、文字サイズとして「大」の項目が設定された場合の表示例を示している。この場合には、「大」の項目に対応する大きさの文字表示に対して、その文字を表示するのに適した、つまり、その文字を読み易いとされる文字間隔Ｋ１と行間隔Ｌ１とに自動設定される。
【００５８】
また、図８（ｂ）は、文字サイズとして「中」の項目が設定された場合の表示例を示している。この場合には、「中」の項目に対応する大きさの文字表示に対して、その文字を表示するのに適した、つまり、その文字を読み易いとされる文字間隔Ｋ２と行間隔Ｌ２とに自動設定される。
【００５９】
さらに、図８（ｃ）は、文字サイズとして「小」の項目が設定された場合の表示例を示している。この場合には、「小」の項目に対応する大きさの文字表示に対して、その文字を表示するのに適した、つまり、その文字を読み易いとされる文字間隔Ｋ３と行間隔Ｌ３とに自動設定される。
【００６０】
なお、図８では、設定された文字サイズに応じて、文字間隔及び行間隔の両方を変更することにしたが、これに限らず、必要に応じては、文字間隔と行間隔とのいずれか一方を文字サイズに応じて変更するようにしても良いものである。
【００６１】
また、図９は、設定された文字サイズに応じて、チャンネル軸のスケールと時間軸のスケールとを自動的に設定する例を示している。図９（ａ）は、文字サイズとして「大」の項目が設定された場合の表示例を示している。この場合には、電子番組表が、水平方向に５つのチャンネルを配列し、垂直方向に４時間分の時間枠を配列して、番組を表示するように自動設定される。
【００６２】
さらに、図９（ｂ）は、文字サイズとして「中」の項目が設定された場合の表示例を示している。この場合には、電子番組表が、水平方向に６つのチャンネルを配列し、垂直方向に５時間分の時間枠を配列して、番組を表示するように自動設定される。
【００６３】
また、図９（ｃ）は、文字サイズとして「小」の項目が設定された場合の表示例を示している。この場合には、電子番組表が、水平方向に７つのチャンネルを配列し、垂直方向に６時間分の時間枠を配列して、番組を表示するように自動設定される。
【００６４】
なお、必ずしもチャンネル軸のスケールと時間軸のスケールとの両方を変える必要はなく、必要に応じては、チャンネル軸のスケールと時間軸のスケールとのいずれか一方を文字サイズに応じて変更するようにしても良いものである。
【００６５】
次に、図１０は、番組表示領域Ａ３〜Ｆ３に形成可能な番組枠の最小単位を、文字サイズに応じて自動的に変更する例を示している。すなわち、所定のチャンネルにおいて、午前９時００分から始まる５０分番組と、午前９時５０分から始まる１０分番組とが存在するものとする。
【００６６】
この場合、番組表示領域Ａ３〜Ｆ３上では、その所定のチャンネルに対して午前９時から１０時までの時間枠が固定される。このため、図１０（ａ）に示すように、５０分番組に対する文字数が少なく、固定された時間枠の中に少なくとも１行分の文字を表示可能とするスペースＳ１（この場合、時間軸方向のみ）が残されていれば、１０分番組に対する文字を表示することが可能となる。
【００６７】
すなわち、午前９時から１０時までの１時間分の固定された時間枠内において、５０分番組に対する文字を表示した番組枠７３と、１０分番組に対する文字を表示した番組枠７４とを形成することが可能となる。
【００６８】
これに対し、図１０（ｂ）に示すように、５０分番組に対する文字数が多く、午前９時から１０時までの時間枠内に１行分の文字をも表示するスペースが残されていなければ、１０分番組を線７５で表示することにより、そこに番組が存在することだけを示すようにしている。
【００６９】
この場合、１０分番組を文字で表示可能か線７５で表示するかの判断は、文字サイズと固定された時間枠内に残されたスペースとを比較することにより行なわれる。また、文字サイズを変更したときには、その変更した文字サイズと、変更した文字サイズで表示したときに残されたスペースとを比較するようにしている。
【００７０】
すなわち、番組を文字で表示可能とする番組枠の最小単位［最小の大きさ、図１０（ａ）で言えば時間軸方向のスペースＳ１］を、設定した文字サイズに応じて変更するようにしている。
【００７１】
上記した実施の形態によれば、電子番組表に表示する文字のフォントサイズを、予め用意された３種類の中からユーザが選択設定することを可能とし、設定された文字サイズに適した形態で電子番組表を表示するようにしたので、電子番組表を不特定多数のユーザにとってそれぞれ見易い形態で効率的に表示することが可能となる。
【００７２】
また、図８乃至図１０で説明した、設定された文字サイズに適した形態で電子番組表を表示するための各表示処理は、それぞれ任意選択的に組み合わせるようにしても良いものである。
【００７３】
図１１は、上記デジタルテレビジョン放送受信装置１１が電子番組表の文字サイズを変更する他の動作を説明するためのフローチャートを示している。この動作は、図５に示した電子番組表の表示状態で、ユーザがリモートコントローラ１７の赤色のカラーキー１７ｍを操作することによって、開始（ステップＳ１１ａ）される。
【００７４】
すなわち、制御部６１は、ステップＳ１１ｂで、リモートコントローラ１７の赤色のカラーキー１７ｍが操作されたことを検知すると、ステップＳ１１ｃで、現在設定されている文字サイズ（例えば「中」）を確認し、ステップＳ１１ｄで、現在設定されている文字サイズを、予め設定された順序に基づいた次の文字サイズ（例えば「大」）に切り換え、処理を終了（ステップＳ１１ｅ）する。
【００７５】
ここで、予め設定された順序としては、例えば、「中」→「大」→「小」→「中」のように循環的に文字サイズを切り換えるように設定されたものとしている。
【００７６】
このような動作によれば、リモートコントローラ１７の赤色のカラーキー１７ｍを操作する毎に、文字サイズを循環的に切り換えることができ、ユーザの操作を容易化することが可能となる。
【００７７】
また、上記した実施の形態では、文字サイズを予め用意された「大」、「中」、「小」の３種類から選択するようにしたが、文字のフォントサイズをユーザが任意に入力設定することを可能とすることもできる。この場合にも、設定された文字サイズに適した形態で電子番組表が表示されるように表示処理が施される。
【００７８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７９】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３，７４…番組枠、７５…線。
【図１】
0005398688.tif 000002
【図２】
0005398688.tif 000003
【図３】
0005398688.tif 000004
【図４】
0005398688.tif 000005
【図５】
0005398688.tif 000006
【図６】
0005398688.tif 000007
【図７】
0005398688.tif 000008
【図８】
0005398688.tif 000009
【図９】
0005398688.tif 000010
【図１０】
0005398688.tif 000011
【図１１】
0005398688.tif 000012